(57)【特許請求の範囲】
【請求項１】
複数の入力チャンネルと、複数の出力チャンネルと、複数のバスとの接続関係を記憶する記憶手段と、
１つの表示画面を有する表示手段と、
上記各入力チャンネルと上記各バスとの接続関係及び上記各バスと上記各出力チャンネルとの接続関係を表示可能に、上記各入力チャンネル、上記各出力チャンネル及び上記各バスを、上記表示画面に表示させる表示制御手段と、
上記表示画面に表示されている上記各入力チャンネル、上記各出力チャンネル及び上記各バスのうちの１つを選択する選択手段と、
上記選択されたものが上記各入力チャンネルのうちの１つであるとき、上記記憶手段から、選択された入力チャンネルに接続されている上記バスと、このバスに接続されている上記出力チャンネルとを検索し、選択された入力チャンネルと検索されたバスとの接続関係と、検索された上記バスと検索された上記出力チャンネルとの接続関係とを、上記表示画面に表示させる第１の検索手段と、
上記選択されたものが上記各出力チャンネルのうちの１つであるとき、上記記憶手段から、選択された出力チャンネルに接続されている上記バスと、このバスに接続されている上記入力チャンネルとを検索し、選択された出力チャンネルと検索されたバスとの接続関係と、検索された上記バスと検索された上記出力チャンネルとの接続関係とを、上記表示画面に表示させる第２の検索手段と、
上記選択されたものが、上記各バスのうちの１つであるとき、上記記憶手段から、選択されたバスに接続されている上記入力チャンネルと上記出力チャンネルとを検索し、選択されたバスと検索された入力チャンネルとの接続関係と、選択されたバスと検索された出力チャンネルとの接続関係とを、上記表示画面に表示させる第３の検索手段とを、
具備する音響信号処理装置の機器の接続関係表示装置。
【請求項２】
請求項１記載の音響信号処理装置の機器の接続関係表示装置において、上記表示制御手段は、上記各入力チャンネル及び上記各出力チャンネルにそれぞれ対応する表示物を、上記表示画面に表示し、上記第１乃至第３の検索手段は、上記各入力チャンネル及び上記各出力チャンネルのうち、選択されたもの及び検索されたものの上記表示物を、他の入力チャンネル及び出力チャンネルの上記表示物と異なった表示とする音響信号処理装置の機器の接続関係表示装置。
【請求項３】
請求項１記載の音響信号処理装置の機器の接続関係表示装置において、上記表示制御手段は、上記各入力チャンネルを第１の複数の行及び第１の複数の列の一方に表示し、上記各バスを上記第１の複数の行及び第１の複数の列の他方に表示すると共に、上記各出力チャンネルを第２の複数の行及び第２の複数の列の一方に表示し、上記各バスを第２の複数の行及び第２の複数の列の他方に表示し、第１乃至第３の検索手段は、検索の結果、接続されていると判明した入力チャンネルとバスとに対応する第１の行と第１の列との交点と、検索の結果、接続されていると判明したバスと出力チャンネルとに対応する第２の行と第２の列との交点とに、表示物を表示させる音響信号処理装置の機器の接続関係表示装置。
【発明の詳細な説明】
【０００１】
【発明の属する技術分野】
本発明は、音響信号処理装置、例えばミキシング装置において、各機器、例えば入力チャンネルと出力チャンネルとの接続関係を表示する装置に関する。
【０００２】
【従来の技術】
一般に、ミキシング装置では、図３に示すように複数の入力チャンネル２−１、２−２・・・・を、複数の出力チャンネル４−１、４−２・・・・に、複数のバス６−１、６−２・・・・を介して接続する。この場合、例えば所望の入力チャンネルが所望の出力チャンネルに所望のバスを介して接続されていないことが判明したような場合に、各入力チャンネルが、いずれの出力チャンネルに、いずれのバスを介して接続されているか把握する必要が生じる。
【０００３】
この場合のために、例えばミキシング装置では、これに付属する表示装置に図４に示すような表示を行うことがある。即ち、各入力チャンネルが各出力チャンネルに接続されているかをマトリクス表示した表と、各入力チャンネルがいずれのバスに接続されているかを表示した表と、各出力チャンネルがいずれのバスに接続されているかを表示した表とが、表示される。
【０００４】
図４の場合、例えば入力チャンネル４は、出力チャンネル３、４、５に接続されていることが、マトリクス表示の表によって分かる。但し、どのバスを介して接続されているかは、この表から把握することができない。そこで、入力チャンネルとバスとの関係を表す表を見ることによって、例えば入力チャンネル４は、バス４に接続されていることが分かる。また、出力チャンネルとバスとの関係を表す表を見ることによって、例えばバス４には出力チャンネル３、４、５が接続されていることが分かる。このように各表の対応するものを追いかけることによって、各入力チャンネルと、各出力チャンネルと、各バスとの関係を知ることができる。
【０００５】
【発明が解決しようとする課題】
しかし、図４に示すような表示では、３つの表を見比べないと、各入力チャンネル、各出力チャンネル及び各バスの関係を把握することができず、直観的に上記関係を把握することが困難であるという問題点があった。
【０００６】
本発明は、各入力チャンネル、各出力チャンネル及びバスとの接続を容易に把握することができる音響信号処理装置の機器の接続関係表示装置を提供することを目的とする。
【０００７】
【課題を解決するための手段】
請求項１記載の発明は、複数の入力チャンネルと、複数の出力チャンネルと、複数のバスとの接続関係を記憶する記憶手段と、１つの表示画面を有する表示手段とを具備している。表示制御手段が、上記各入力チャンネルと上記各バスとの接続関係及び上記各バスと上記各出力チャンネルとの接続関係を表示可能に、上記各入力チャンネル、上記各出力チャンネル及び上記各バスを、上記表示画面に表示させる。上記表示画面に表示されている上記各入力チャンネル、上記各出力チャンネル及び上記各バスのうちの１つを選択手段が選択する。上記選択されたものが上記各入力チャンネルのうちの１つであるとき、第１の検索手段が、上記記憶手段から、選択された入力チャンネルに接続されている上記バスと、このバスに接続されている上記出力チャンネルとを検索し、選択された入力チャンネルと検索されたバスとの接続関係と、検索された上記バスと検索された上記出力チャンネルとの接続関係とを、上記表示画面に表示させる。上記選択されたものが上記各出力チャンネルのうちの１つであるとき、第２の検索手段が、上記記憶手段から、選択された出力チャンネルに接続されている上記バスと、このバスに接続されている上記入力チャンネルとを検索し、選択された出力チャンネルと検索されたバスとの接続関係と、検索された上記バスと検索された上記出力チャンネルとの接続関係とを、上記表示画面に表示させる。上記選択されたものが、上記各バスのうちの１つであるとき、第３の検索手段が、上記記憶手段から、選択されたバスに接続されている上記入力チャンネルと上記出力チャンネルとを検索し、選択されたバスと検索された入力チャンネルとの接続関係と、選択されたバスと検索された出力チャンネルとの接続関係とを、上記表示画面に表示させる。
【０００８】
請求項１記載の発明によれば、表示画面に表示されている各入力チャンネル、各出力チャンネル及び各バスのうち、いずれか１つを選択手段によって選択する。選択されたものに応じて、第１乃至第３の検索手段のいずれかが動作する。例えば、入力チャンネルのうちいずれか１つが選択されると、第１の検索手段が動作し、選択された１つの入力チャンネルに接続されているバスと、このバスに接続されている出力チャンネルとを、記憶手段から検索する。この検索が終了すると、第１の検索手段は、選択された入力チャンネルと、検索された出力チャンネルと、検索されたバスとを、表示画面に表示させる。即ち、選択された入力チャンネルに、いずれのバスを介していずれの出力チャンネルが接続されているかが、表示画面に表示される。
【０００９】
第２の検索手段が動作した場合には、同様に選択された出力チャンネルにいずれのバスを介してどの入力チャンネルが接続されているかが表示される。第３の検索手段が動作した場合には、同様に選択されたバスに、いずれの入力チャンネルといずれの出力チャンネルとが、接続されているかが表示される。
【００１０】
このように、請求項１記載の発明によれば、入力チャンネル、出力チャンネル及びバスのいずれを、検索のキーとしても、検索することができ、その検索結果が、表示画面に表示される。表示画面への表示には、種々のものがある。
【００１１】
請求項２記載の発明は、請求項１記載の音響信号処理装置の機器の接続関係表示装置において、上記表示制御手段が、上記各入力チャンネル及び上記各出力チャンネルにそれぞれ対応する表示物を、上記表示画面に表示する。上記第１乃至第３の検索手段が、上記各入力チャンネル及び上記各出力チャンネルのうち、選択されたもの及び検索されたものの上記表示物を、他の入力チャンネル及び出力チャンネルの上記表示物と異なった表示とする。
【００１２】
請求項２記載の発明によれば、第１乃至第３の検索手段は、検索結果を表示する際、新たに入力チャンネル及び出力チャンネルを表示するのではなく、表示制御手段が表示している各入力チャンネル及び各出力チャンネルの表示を流用し、検索または選択されたものであることが明確に分かるように、他の入力チャンネルや出力チャンネルと異なった表示としている。
【００１３】
請求項３記載の発明は、請求項１記載の音響信号処理装置の機器の接続関係表示装置において、上記表示制御手段が、上記各入力チャンネルを第１の複数の行及び第１の複数の列の一方に表示し、上記各バスを上記第１の複数の行及び第１の複数の列の他方に表示すると共に、上記各出力チャンネルを第２の複数の行及び第２の複数の列の一方に表示し、上記各バスを第２の複数の行及び第２の複数の列の他方に表示する。第１乃至第３の検索手段は、検索の結果、接続されていると判明した入力チャンネルとバスとにそれぞれ対応する第１の行と第１の列との交点と、検索の結果、接続されていると判明したバスと出力チャンネルとにそれぞれ対応する第２の行と第２の列との交点とに、表示物を表示させる。
【００１４】
請求項３記載の発明によれば、各入力チャンネルと各バスとの接続関係は、第１の行と第１の列とからなるマトリクス表示によって表示される。同様に各出力チャンネルと各バスとの接続関係も、第２の行と第２の列とからなるマトリクス表示によって表示される。
【００１５】
【発明の実施の形態】
本実施の形態は、図１（ａ）に示されているように、ＤＳＰ（ディジタル信号処理装置）１０を有している。このＤＳＰ１０は、図３に示されているような複数の入力チャンネル、複数の出力チャンネル及び複数のバスとして機能するように構成されている。これら入力チャンネルには、ディジタル化された可聴周波数信号、例えば様々なマイクロホンでそれぞれ収音され、ディジタル化された各オーディオ信号が、供給されている。また、各出力チャンネルの出力信号は、図示されていない他の音響信号処理装置に供給されている。
【００１６】
各入力チャンネルを、いずれのバスを介していずれの出力チャンネルに接続するかの情報は、パーソナルコンピュータのＣＰＵ１２から、ＤＳＰ１０に接続されているＣＰＵ１３を介してＤＳＰ１０に供給される。この情報は、記憶手段、例えばパーソナルコンピュータに接続されている読み書き可能なメモリ１４に記憶されている。メモリ１４への記憶は、種々の方法、例えば入力チャンネルをキーとして対応するバス及び出力チャンネルの検索、出力チャンネルをキーとして対応するバス及び入力チャンネルの検索、バスをキーとして対応する入力チャンネル及び出力チャンネルの検索が、それぞれ容易に行えるものであれば、種々の形態を利用することができる。
【００１７】
例えば、メモリ１４は、第１及び第２のマトリクスを備えたものとすることができる。第１のマトリクスは、各入力チャンネルを各行に記憶し、各バスを各列に記憶し、互いに接続されている、入力チャンネルの行とバスの列との交点位置にそれぞれフラグを立てている。第２のマトリクスは、各出力チャンネルを各行に記憶し、各バスを各列に記憶し、互いに接続されている、出力チャンネルの行とバスの列との交点位置にそれぞれフラグを立てている。
【００１８】
第１のマトリクスの場合、或る入力チャンネル、例えば入力チャンネル４をキーとした場合、入力チャンネル４が記憶されている行と、各列との各交点位置に、フラグが立てられているか検索することによって、この入力チャンネルに接続されているバスを容易に検索することができる。或るバスをキーとする場合も、その或るバスが記憶されている列と、各行との交点位置に、フラグが立てられているか検索することによって、このバスに接続されている各入力チャンネルを検索することができる。
【００１９】
第２のマトリクスの場合も、第１のマトリクスと同様な構成であるので、第１のマトリクスと同様にして、或る出力チャンネルをキーとして、この出力チャンネルに接続されているバスを検索することも、或るバスをキーとして、このバスに接続されている出力チャンネルを検索することもできる。
【００２０】
ＣＰＵ１２には、表示手段、例えばＣＲＴ、液晶ディスプレー、プラズマディスプレー等の表示装置１６が接続されている。ＣＰＵ１２の制御によって、表示装置１６の表示画面には例えば図１（ｂ）に示すような表示がなされている。
【００２１】
即ち、表示画面には、例えば１つのウインド１７が表示されている。このウインド１７内には、第１のマトリクス表示１８と、第２のマトリクス表示２０とが表示されている。第１のマトリクス表示１８は、多数の行と列とを有し、各行の左端の各セルには、各入力チャンネル名が表示されている。また、各列の上端の各セルには、各バスの略称（Ｂ１、Ｂ２・・・・）が表示されている。
【００２２】
第２のマトリクス表示２０も、多数の行と列とを有し、各行の右端の各セルには、各出力チャンネル名が表示されている。また、各列の上端の各セルには、各バスの略称が表示されている。
【００２３】
ウインドー１７には、各バスの略称とバス名との対応関係が示されている表２２も表示されている。なお、各バス名には、使用者が名付けた任意の名称を表示させることができる。
【００２４】
図１（ａ）に示されているように、ＣＰＵ１２には、表示装置１６に表示された各セル等を選択するために、選択手段、例えばポインティングデバイス、より詳しくはマウス２４が設けられている。なお、図１（ｂ）では、入力チャンネル及び出力チャンネルは、それぞれ１２個だけ表示されているが、実際には１２よりも多くの入力及び出力チャンネルがそれぞれ設定されており、図１（ｂ）に表示されていない入力及び出力チャンネルは、ウインドー１７の右端にあるスクロールバー２３ａ、スクロールボタン２３ｂをマウス２４によって下方にドラッグしたり、クリックしたりすることによって、第１及び第２のマトリクスがスクロールされて、表示される。また、表示を元に戻す場合には、スクロールバー２３ａを上方にドラッグしたり、スクロールボタン２３ｃをクリックする。
【００２５】
これらの他に、例えば、バス名として表２２に表示させるデータを入力するために、データ入力手段、例えばキーボード２６が設けられている。
【００２６】
表示画面のウインドー１７に、第１及び第２のマトリクス表示１８、２０が表示されている状態において、例えば入力チャンネル４に接続されているバス及び出力チャンネルを知りたい場合、マウス２４によって入力チャンネル４をクリックする。これに応じてＣＰＵ１２がメモリ１４の第１のマトリクスにおいて、入力チャンネル４に接続されているバスを検索する。さらに、ＣＰＵ１２は、この検索されたバスをキーとして、第２のマトリクスにおいて、このバスに接続されている出力チャンネルを検索する。
【００２７】
例えば入力チャンネル４が、バス４に接続され、このバス４には出力チャンネル４、５、６がそれぞれ接続されているとすると、ＣＰＵ１２は、入力チャンネル４と表示されているセルと、出力チャンネル４、５、６と表示されているセルとを、他の入力チャンネル及び出力チャンネルと異なった表示、例えば反転表示させる。
【００２８】
さらに、第１のマトリクス表示１８における入力チャンネル４とバス４との交点位置にあるセルに、検索されたバスと、マウス２４によって選択された入力チャンネルとの接続関係を表す表示、例えば丸表示を、ＣＰＵ１２が表示する。また、第２のマトリクス表示２０における、バス４と各出力チャンネル４、５、６との交点位置にある各セルに、いずれも検索されたものであるバスと出力チャンネルとの接続関係を表す表示、例えば丸表示を、ＣＰＵ１２が表示する。
【００２９】
なお、バスと入力チャンネルとの接続関係、バスと出力チャンネルとの接続関係を表す表示としては、上記のようなものの他に種々のものが考えられる。例えば、第１のマトリクス表示１８において、互いに接続されている全ての入力チャンネルとバスとの交点位置にあるセルに、例えば丸表示を事前に行っておく。そして、マウス２４によって選択された入力チャンネルと、これに接続されているバスとの交点位置にあるセルの丸表示を反転させるか、マウス２４によって選択された入力チャンネルと接続されているバスが表示されている行の各セルを反転表示させるか、又はマウス２４によって選択された入力チャンネルと接続されているバスが表示されているセルを反転表示させることができる。第２のマトリクス２０においても、同様にバスと出力チャンネルとの接続関係を表示することができる。
【００３０】
また、或る出力チャンネルに接続されているバス及び入力チャンネルを知りたい場合、まずマウス２４によって或る出力チャンネル、例えば出力チャンネル４が表示されているセルをクリックする。これによってＣＰＵ１２は、メモリ１４の第２のマトリクスにおいて、出力チャンネル４をキーとして、出力チャンネル４に接続されているバスを検索する。このバスが、例えばバス４であるとすると、ＣＰＵ１２は、さらに第１のマトリクスにおいて、バス４をキーとして、バス４に接続されている入力チャンネルを検索する。
【００３１】
この検索により、出力チャンネル４に接続されているバスがバス４であり、このバス４に接続されている入力チャンネルが入力チャンネル４であることが判明すると、ＣＰＵ１２は、第１のマトリクス表示１８の入力チャンネル４の表示と第２のマトリクス表示２０の出力チャンネル４の表示とを反転表示し、第１のマトリクス表示１８においてバス４と入力チャンネル４との接続関係の表示をし、第２のマトリクス表示２０においてバス４と出力チャンネル４との接続関係の表示をする。この接続関係の表示としては、入力チャンネルを選択した場合について説明した際に述べた接続関係の表示のいずれかが使用可能である。
【００３２】
また、或るバスに接続されている入力チャンネル及び出力チャンネルを知りたい場合、第１及び第２のマトリクス表示１８、２０いずれかにおける或るバスが表示されているセルを、マウス２４によってクリックする。例えば第１のマトリクス表示１８の或るバスが表示されているセル、例えばバス４が表示されているセルをクリックすると、ＣＰＵ１２は、第１のマトリクスにおいて、バス４をキーとして、バス４に接続されている入力チャンネルを検索する。
【００３３】
また、第２のマトリクスにおいて、バス４をキーとして、バス４に接続されている出力チャンネルを検索する。その結果、バス４に入力チャンネル４と、出力チャンネル４、５、６が接続されていると判明した場合、入力チャンネル４が表示されているセルと、出力チャンネル４、５、６が表示されている各セルとを反転表示させる。
【００３４】
そして、第１のマトリクス表示１８において、バス４と入力チャンネル４との接続関係の表示をし、第２のマトリクス表示２０においてバス４と出力チャンネル４との接続関係の表示をする。この接続関係の表示としては、入力チャンネルを選択した場合について説明した際に述べた接続関係の表示のいずれかが使用可能である。
【００３５】
このように、入力チャンネルとバスとからなる第１のマトリクス表示１８と、出力チャンネルとバスとからなる第２のマトリクス表示２０とを用いて、入力チャンネルとバスとの接続関係と、出力チャンネルとバスとの接続関係を、それぞれ表示しているので、余り大きくない表示画面であっても、これらの接続関係を容易に把握することができる。
【００３６】
上記のような動作をするため、ＣＰＵ１２は図２に示されているような処理を行う。まず、この音響信号処理装置の接続関係表示装置の操作を開始するか、ＣＰＵ１２が判断する（ステップＳ２）。これは、例えばマウス２４またはキーボード２６によって操作開始の指示が与えられているか、ＣＰＵ１２が判断することによって行う。操作開始の指示が与えられていないと、ＣＰＵ１２は、このステップＳ２を繰り返す。
【００３７】
操作開始の指示が与えられていると、表示装置の表示画面に図１（ｂ）に示すようなバスマトリクスを、ＣＰＵ１２は表示する（ステップＳ４）。なお、このバスマトリクスを表示するためのデータは、メモリ１４に記憶されている。
【００３８】
次にマウス２４によって、表示画面上のウインドー１７の入力チャンネル、出力チャンネル、バスのいずれかを操作者が選択する（ステップＳ６）。次に、ＣＰＵ１２は、入力チャンネル、出力チャンネル、バスのいずれの項目が選択されたか判断する（ステップＳ８）。
【００３９】
入力チャンネルのいずれか１つが選択されていると、選択された入力チャンネルにつながるバスを検索する（ステップＳ１０）。この検索は、メモリ１４内の第１のマトリクスを利用して、上述したように行われる。次に検索されたバスにつながる出力チャンネルを検索する（ステップＳ１２）。この検索は、メモリ１４内の第２のマトリクスを利用して、上述したように行われる。そして、選択された入力チャンネル及び検索された出力チャンネルを反転表示すると共に、検索されたバスの接続状態を表示する（ステップＳ１４）。この接続状態の表示としては、上述したような各種のもののうち１つが使用される。
【００４０】
出力チャンネルのいずれか１つが選択されていると、選択された出力チャンネルにつながるバスを検索する（ステップＳ１６）。この検索は、メモリ１４内の第２のマトリクスを利用して、上述したように行われる。次に検索されたバスにつながる入力チャンネルを検索する（ステップＳ１８）。この検索は、メモリ１４内の第１のマトリクスを利用して、上述したように行われる。そして、選択された出力チャンネル及び検索された入力チャンネルを反転表示すると共に、検索されたバスの接続状態を表示する（ステップＳ２０）。この接続状態の表示としては、上述したような各種のもののうち１つが使用される。
【００４１】
バスのいずれか１つが選択されていると、選択されたバスにつながる入力チャンネルが検索される（ステップＳ２２）。この検索は、メモリ１４内の第１のマトリクスを利用して、上述したように行われる。そして、選択されたバスにつながる出力チャンネルが検索される（ステップＳ２４）。この検索は、メモリ１４内の第２のマトリクスを利用して、上述したように行われる。次に、選択されたバスの接続状態を表示すると共に、検索された入力チャンネル及び出力チャンネルの反転表示が行われる（ステップＳ２６）。このバスの接続状態の表示は、上述したもののうち１つが使用される。
【００４２】
各入力チャンネル、各出力チャンネル及び各バスの接続関係を、例えば図３に示すようなフィッシュボーン型に表示することも可能である。この場合、検索または選択された入力及び出力チャンネルは反転表示させることができる。また、検索または選択されたバスは、他のバスと異なる色で表示させることができる。但し、このフィッシュボーン型では、各入力チャンネル、各出力チャンネル及び各バスの接続が錯綜している場合、直観的にいずれのバスが選択または検索されているか、この実施の形態と比較した場合、把握しにくい可能性がある。
【００４３】
なお、上記の実施の形態では、第１のマトリクス表示１８の各行の左端のセルに各入力チャンネルを表示し、各列の上端の各セルに各バスを表示したが、逆に各行の左端のセルに各バスを表示し、各列の上端の各セルに各入力チャンネルを表示してもよい。無論、第２のマトリクス表示２０においても同様な変更が可能である。
【００４４】
【発明の効果】
以上のように、請求項１記載の発明によれば、表示画面に表示されている各入力チャンネル、各出力チャンネル及び各バスのうち、いずれか１つを選択手段によって選択したのに応じて、選択されたものをキーとして検索が行われ、そのキーとしたものと、検索結果が表示画面に表示される。即ち、入力チャンネル、出力チャンネル及びバスのいずれを、検索のキーとしても、検索することができ、その検索結果が、表示画面に表示されるので、選択されたものに接続されている機器を容易に把握することができる。
【００４５】
請求項２記載の発明によれば、入力チャンネル、出力チャンネルをキーとして検索した場合、その検索結果を表示する際、再度入力チャンネル及び出力チャンネルを表示するのではなく、既に表示されている各入力チャンネル及び各出力チャンネルの表示を流用し、検索または選択されたものであることが明確に分かるように、他の入力チャンネルや出力チャンネルと異なった表示としている。従って、表示可能な領域が比較的狭い表示画面しか持っていない表示手段においても、各入力チャンネル及び各出力チャンネルの接続関係を明瞭に認識することができる。
【００４６】
請求項３記載の発明によれば、各入力チャンネルと各バスとの接続関係は、第１の行と第１の列とからなるマトリクス表示を利用して表示され、同様に各出力チャンネルと各バスとの接続関係も、第２の行と第２の列とからなるマトリクス表示によって表示される。従って、多数の入力チャンネルや出力チャンネルがバスに接続されている場合で、しかも狭い表示画面にしか表示できなくても、接続関係を明瞭に把握することができる。
【図面の簡単な説明】
【図１】（ａ）は本発明による音響信号処理装置の機器の接続関係表示装置の１実施の形態のブロック図、（ｂ）は同実施の形態における表示画面を示す図である。
【図２】同実施の形態の動作フローチャートである。
【図３】音響信号処理装置の機器の接続関係の一例を示す図である。
【図４】従来の音響信号処理装置の機器の接続関係表示装置の一例を示す図である。
【符号の説明】
１０  ＤＳＰ（入力チャンネル、出力チャンネル、バス）
１２  ＣＰＵ（第１乃至第３の検索手段、表示制御手段）
１４  メモリ（記憶手段）
１６  表示装置
２４  マウス（選択手段）
【図１】
0003874850.tif 000002
【図２】
0003874850.tif 000003
【図３】
0003874850.tif 000004
【図４】
0003874850.tif 000005